(57)【要約】【課題】インクリボンまたは中間転写フィルムに残存した像を判読不能にする再転写方式の印刷装置を提供する。【解決手段】黒色インク領域（１Ｋ）に残存するパターン（１５１ｎ）を判読不能にする重畳パターン（１５２）を生成する生成部（２００Ｄ）を備え、パターンが残存したインク領域と再転写後の転写領域（７Ｋａ）とを重ねて加熱し、転写領域にパターンと重畳パターンとを重畳した転写重畳像（１５４）を形成する構成にした。転写後にインク領域（１Ｋ）に残存するパターン（１５１ｎ）を複数の分割領域（１５３Ａ，１５３Ｂ）に分割設定する分割部（２００Ｅ）を備え、分割領域のそれぞれと再転写後の転写領域（７Ｋａ）とを順次重ねて加熱し、この転写領域に分割領域のそれぞれの像を重畳した転写重畳像（１５４）を形成するように構成した。【選択図】      図２
2005014398.tif 000002
【特許請求の範囲】
【請求項１】
少なくとも黒色を含む複数色の各インク領域を所定の順番に配列して表面に形成されたインクリボン及び転写層を有する中間転写フィルムを重ね合わせて加熱し、前記インク領域それぞれにおける印刷すべき画像に対応したインクを前記転写層の所定の転写領域に転写して転写印刷像を形成する第１の加熱部と、
前記中間転写フィルムの前記転写領域と被印刷物とを重ね合わせて加熱し、前記転写印刷像を前記被印刷物に再転写して印刷する第２の加熱部とを備えた再転写方式の印刷装置において、
前記転写の後に黒色の前記インク領域に残存する前記印刷すべき画像に対応したパターンを判読不能にする重畳パターンを生成する重畳パターン生成部を備え、
前記第１の加熱部は、前記パターンが残存した前記インク領域と前記転写印刷像を再転写した後の前記転写領域とを重ね合わせて加熱し、前記転写領域に、前記パターンと前記重畳パターンとを重畳した転写重畳像を転写して形成するように構成したことを特徴とする再転写方式の印刷装置。
【請求項２】
少なくとも黒色を含む複数色の各インク領域を所定の順番に配列して表面に形成されたインクリボン及び転写層を有する中間転写フィルムを重ね合わせて加熱し、前記インク領域それぞれにおける印刷すべき画像に対応したインクを前記転写層の所定の転写領域に転写して転写印刷像を形成する第１の加熱部と、
前記中間転写フィルムの前記転写領域と被印刷物とを重ね合わせて加熱し、前記転写印刷像を前記被印刷物に再転写して印刷する第２の加熱部とを備えた再転写方式の印刷装置において、
前記転写の後に黒色の前記インク領域に残存する前記印刷すべき画像に対応したパターンを分割した複数の分割領域を設定する領域分割部を備え、
前記第１の加熱部は、前記分割領域のそれぞれと前記転写印刷像を再転写した後の前記転写領域とを順次重ね合わせて加熱し、前記転写領域に、前記分割領域のそれぞれの像を重畳した転写重畳像を転写して形成するように構成したことを特徴とする再転写方式の印刷装置。
【発明の詳細な説明】
【０００１】
【発明の属する技術分野】
本発明は、インクリボンから中間転写フィルムにインク画像を転写し、この転写により中間転写フィルム上に形成された転写像を被印刷物に再転写して印刷する再転写方式の印刷装置に関する。
【０００２】
【従来の技術】
インクリボンから中間転写フィルムにインク画像を転写して形成し、このインク画像をカードやシート等の被印刷物の表面上に再転写して印刷する、いわゆる再転写方式の印刷装置が周知であり、この印刷装置の一例として被印刷物をカードとしたカードプリンタがあり、本願出願人が出願した特許文献１に記載されている。
【０００３】
再転写方式は、帯状のシート上に順次、イエロー，マゼンタ，シアン，ブラック等の各色のインク領域が連続的に形成されたインクリボンを用い、サーマルヘッドを画像に対応して加熱し、各インク領域からインクを中間転写フィルム上に転写して画像を形成し、さらにこの画像を、被印刷物にヒートローラによる加熱及び加圧により再転写して印刷するものである。
【０００４】
【特許文献１】
特開２０００−１８７７１２号公報
【０００５】
【発明が解決しようとする課題】
【０００６】
ところで、イエロー，マゼンタ，シアンの色材としては昇華性染料が用いられるのが一般的である。
この昇華性染料を用いた印刷では、インクが全て転写されるものではないので、インクリボンに残った転写跡や転写フィルムに残った再転写跡は明確ではなく、この跡から画像情報を判読することは不可能である。
また、これらの色は、顔写真等の画像を印刷する場合に主として用いられるものであって、その画像は文字と比べて情報の機密度が高いものではない。
【０００７】
一方、ブラック色（以下ブラックまたはＢＫと記載する場合がある）は、文字やバーコードの印刷に主として用いられることから、印刷した文字の視認性を高めるために、また、バーコードの読み取り性を向上させるために溶融性顔料を用いるのが一般的である。
溶融性顔料を用いた印刷ではインクが全て転写されるため、インクリボンに残った転写跡や転写フィルムに残った再転写跡（反転像）が明確に視認でき、情報として判読可能である。特に、文字は機密度が高い情報を含む場合が多い。
【０００８】
従って、ブラックで印刷する像については、印刷後のインクリボンや中間転写フィルムの盗難等によって機密情報が流出する可能性が懸念されると共に、これらを廃棄する際には、機密保持の為の特殊な処理が必要になるという問題があった。
【０００９】
そこで本発明が解決しようとする課題は、インクリボンまたは中間転写フィルムに残存した像を判読不能にする再転写方式の印刷装置を提供することにある。
【００１０】
【課題を解決するための手段】
上記の課題を解決するために、本願発明は手段として次の構成を有する。
即ち、請求項１に係る発明は、少なくとも黒色を含む複数色の各インク領域（１Ｃ，１Ｍ，１Ｙ，１Ｋ）を所定の順番に配列して表面に形成されたインクリボン（１）及び転写層（７ｃｄ）を有する中間転写フィルム（７）を重ね合わせて加熱し、前記インク領域（１Ｃ，１Ｍ，１Ｙ，１Ｋ）それぞれにおける印刷すべき画像に対応したインクを前記転写層（７ｃｄ）の所定の転写領域（７Ｋａ）に転写して転写印刷像を形成する第１の加熱部（５００）と、前記中間転写フィルム（７）の前記転写領域と被印刷物（８）とを重ね合わせて加熱し、前記転写印刷像を前記被印刷物（８）に再転写して印刷する第２の加熱部（３００）とを備えた再転写方式の印刷装置において、
前記転写の後に黒色の前記インク領域（１Ｋ）に残存する前記印刷すべき画像（１５１）に対応したパターン（１５１ｎ）を判読不能にする重畳パターン（１５２）を生成する重畳パターン生成部（２００Ｄ）を備え、前記第１の加熱部（５００）は、前記パターン（１５１ｎ）が残存した前記インク領域（１Ｋ）と前記転写印刷像（１５１）を再転写した後の前記転写領域（７Ｋａ）とを重ね合わせて加熱し、前記転写領域（７Ｋａ）に、前記パターン（１５１ｎ）と前記重畳パターン（１５２）とを重畳した転写重畳像（１５４）を転写して形成するように構成したことを特徴とする再転写方式の印刷装置である。
【００１１】
また、請求項２に係る発明は、少なくとも黒色を含む複数色の各インク領域を所定の順番に配列して表面に形成されたインクリボン（１）及び転写層（７ｃｄ）を有する中間転写フィルム（７）を重ね合わせて加熱し、前記インク領域（１Ｃ，１Ｍ，１Ｙ，１Ｋ）それぞれにおける印刷すべき画像に対応したインクを前記転写層（７ｃｄ）の所定の転写領域（７Ｋａ）に転写して転写印刷像を形成する第１の加熱部（５００）と、前記中間転写フィルム（７）の前記転写領域と被印刷物（８）とを重ね合わせて加熱し、前記転写印刷像を前記被印刷物（８）に再転写して印刷する第２の加熱部（３００）とを備えた再転写方式の印刷装置において、
前記転写の後に黒色の前記インク領域（１Ｋ）に残存する前記印刷すべき画像（１５１）に対応したパターン（１５１ｎ）を分割した複数の分割領域（１５３Ａ，１５３Ｂ）を設定する領域分割部（２００Ｅ）を備え、前記第１の加熱部（５００）は、前記分割領域（１５３Ａ，１５３Ｂ）のそれぞれと前記転写印刷像（１５１）を再転写した後の前記転写領域（７Ｋａ）とを順次重ね合わせて加熱し、前記転写領域（７Ｋａ）に、前記分割領域（１５３Ａ，１５３Ｂ）のそれぞれの像を重畳した転写重畳像（１５３）を転写して形成するように構成したことを特徴とする再転写方式の印刷装置である。
【００１２】
【発明の実施の形態】
本発明の実施の形態を、好ましい実施例により図１〜図７を用いて説明する。
図１は、本発明の再転写方式の印刷装置における第１実施例を説明するための図であり、
図２は、本発明の再転写方式の印刷装置における第２実施例を説明するための図であり、
図３は、本発明の再転写方式の印刷装置における第３実施例を説明するための図であり、
図４は、本発明の再転写方式の印刷装置の実施例におけるインクリボンと中間転写フィルムを説明する図であり、
図５は、本発明の再転写方式の印刷装置における第３実施例を説明する別の図であり、
図６は、本発明の再転写方式の印刷装置における実施例を示す正面図であり、
図７は、本発明の再転写方式の印刷装置の実施例における第１及び第２の加熱部のモード切り替えを説明するための図である。
【００１３】
まず、図４，図６を用いて本発明の再転写方式の印刷装置の実施例における全体構成を説明する。
この再転写方式の印刷装置は、インクリボン１のインク１Ｃ，１Ｍ，１Ｙ，１Ｋ（詳細は後述する）を中間転写フィルム７に転写して転写層７ｃｄを形成する第１の加熱部５００と、中間転写フィルム７に形成した転写層７ｃｄを被印刷物であるカード８に再転写する第２の加熱部３００と、このカード８を格納する格納部１００と、このカード８を第２の加熱部３００に搬送する搬送機構１０１と、転写動作等を制御する制御部２００と、重畳転写動作で重畳するパターンを生成する重畳パターン生成部４００とを備えている。
【００１４】
図６において、インクリボン１はインク塗布面をプラテンローラ４側に向けて供給リール５と巻き取りリール６との間に張架されている。
インクリボン１は、図４（Ａ）に示すように、帯状ベースフィルム１ａ上に昇華性のイエロ（Ｙ）１Ｙ，マゼンタ（Ｍ）１Ｍ，シアン（Ｃ）１Ｃと溶融性のブラック（Ｋ）１Ｋとの４色のパネルを１フレームとして周期的に塗布したものである。パネルとは、各色の一画面に対応する範囲である。この４色のパネルの順番は任意に設定できる。
この４色に加えて、中間転写フィルムに転写したインクを剥離する機能を有する剥離機能層とを加えた５つのパネルを１フレームとしてもよい。
以下の説明では、インクリボン１は４色を１フレームにしたものとして説明する。
【００１５】
供給リール５及び巻き取りリール６にはインクリボン１を搬送するための動力源となるＤＣモータ２１，２２が図示しない減速機構を介して連結される。ＤＣモータ２１，２２にはエンコーダ（図示せず）が内蔵されており回転角や回転数が検出できる。
供給リール５に連結されたＤＣモータ２１はインクリボン１を巻戻したり、また適正なバックテンションを付与できるよう、供給リール５の回転方向とは逆方向に駆動可能となっている。
【００１６】
また、供給リール５におけるインクリボン１の残量に応じて、ＤＣモータ２１へ印加する電圧を変化させ、常に一定のバックテンションが付与される。残量（＝巻径）の検出は供給リール５側に配置したセンサ２５を通過するインクリボン１の１フレームに対する前記ＤＣモータ２１の回転角を検出することで算出できる。
【００１７】
同様に巻き取りリール６に連結されたＤＣモータ２２は、インクリボン１を巻き取ると共に、記録時において巻径に応じた電圧を印加することによって適性な引っ張りテンションを付与している。さらに、ＤＣモータ２１またはＤＣモータ２２に内蔵されたエンコーダによってインクリボン１の移送量を検出して移送量の制御を行っている。
【００１８】
インクリボン１の外側（ベースフィルム１ａ側）には第１の加熱部５００であるサーマルヘッド３が固定配置されており、その反対側（インク塗布面側）にはプラテンローラ４がサーマルヘッド３に圧接・離間するように配置されている。
このサーマルヘッド３は、印刷予定の画像のドットに対応する単位ヘッド３ａをライン状に複数配列して構成されたサーマルヘッドユニットである。以下の説明においては、特に記載が無い限りこのサーマルヘッドユニットを示す。
インクリボン１の架橋経路上には上述したインクの頭出しセンサ２５が設けられている。このセンサ２５は、インクフィルム１の頭出し（Ｙインク）を行い、２色目以降の頭出し（Ｍ，Ｃ，Ｋインク）の頭出しはＤＣモータ２１またはＤＣモータ２２に内蔵されたエンコーダによって行う。
尚、センサ２５はインクリボン１に設けた検出マークや色境界を検出させるもの等が有る。
インクリボン１はガイド部材２６ａ〜２６ｃに案内されて巻き取りリール６に巻き取られる。
【００１９】
中間転写フィルム７は、図４（Ｂ）に示すように、帯状基材シート７ａの一方の面に、剥離層７ｂと透明な保護層７ｃとインク受容層７ｄとが積層されて成るものである。
また、外側のインク受容層７ｄと保護層７ｃとが転写層７ｃｄであり、この転写層７ｃｄを基材シート７ａから剥離するために剥離層７ｂが設けられている。図６において、この中間転写フィルム７は、画像を記録するフレーム毎に検出マーク（図示せず）が印刷されて、供給リール９Ａと巻き取りリール９Ｂとの間に転写層７ｃｄをインクリボン１側に向けて張架されている。
【００２０】
供給リール９Ａには中間転写フィルム７を搬送するための動力源となるパルスモーター（ステップモータ）３１が、巻き取りリール９ＢにはＤＣモータ３２が図示しない減速機構を介して連結される。
また、巻き取りリール９Ｂに連結したＤＣモータ３２にはエンコーダ（図示せず）が内蔵されており回転角や回転数が検出できる。
【００２１】
中間転写フィルム７は供給リール９Ａからガイド部材３０ａ，プラテンローラ４，中間転写フィルム７のフレーム頭出しをするセンサ３３，ガイド部材３０ｂを経由し、第２の加熱部３００にあるヒートローラ１４と押圧ローラ１５との間を通ってガイド部材３０ｃへと案内されて巻き取りリール９Ｂに巻き取られる。
【００２２】
以上の構成において、サーマルヘッド３とプラテンローラ４との間でインクリボン１のインクと中間転写フィルム７の転写層７ｃｄとは対向している。
また、ヒートローラ１４は押圧ローラ１５に対して圧接・離間が可能となっている。
【００２３】
本体下方部には、被印刷物であるカード８を複数枚重ねて格納する格納部１００が配置されている。
この格納部１００からカード８は一枚ずつ取り出され、搬送機構１０１を経由して第２の加熱部３００に搬送される。
【００２４】
また、この再転写方式の印刷装置は、筐体２０１内に制御部２００を備えている。
この制御部２００は、印刷する画像に応じて、インクリボン１に形成した各色に対してサーマルヘッド３を制御する制御パターンを生成する印刷パターン生成部２００Ｂと、後述する重畳転写工程においてブラック層１Ｋに作用するサーマルヘッド３への印可エネルギＥＧを制御する温度制御部２００Ｂと、この重畳転写工程において、インクリボン１及び中間転写フィルム７の送りやそのピッチを制御するピッチ制御部２００Ｃと、重畳パターン生成部２００Ｄと、インクリボンに残存したネガパターンを含む領域を分割する領域分割部２００Ｅとを有している。ピッチ制御部２００Ｃ，重畳パターン生成部２００Ｄ及び領域分割部２００Ｅについては後述する。
【００２５】
また、この再転写方式の印刷装置は、外部からの情報を入力する情報入力部（図示せず）を備えており、この情報入力部に対して印刷する画像の画像データが入力される。この入力は、通信やディスク等の媒体を介する等の周知の方法で行うことができる。
【００２６】
次に、図７を用いてヒートローラ１４とプラテンローラ４のモード切替えについて説明する。
ヒートローラ１４はカム６６の回動によって押圧ローラ１５に対して圧接・離間するのに対し、前記プラテンローラ４は、サーマルヘッド３に対し圧接・離間を行う。
【００２７】
まず、プラテンローラ４の駆動機構について説明する。
この駆動機構は、プラテンローラ４の両端に設けた第１のアーム７１，第１のアーム７１の軸で一体となって回動する回動軸７０，回動軸７０を回動させる第２のアーム７４，第２のアーム７４に回動トルクを伝達するリンク７５，回転トルクを推進力に変換してリンク７５に伝達するカム６６とを有し、このカム６６を回動させるために減速機構を介してステップモータ３１Ａがある。
以上の構成において、カム６６の位相を変えることでヒートローラ１４とプラテンローラ４の圧接・離間を行っており、図７に示すＡ／Ｂ／Ｃの３つのモードに対応している。
【００２８】
即ち、Ａモードでは、ヒートローラ１４が押圧ローラ１５から離間すると共に、プラテンローラ４がサーマルヘッド３から離間する状態をとる。
Ｂモードでは、ヒートローラ１４が押圧ローラ１５から離間する一方、プラテンローラ４がサーマルヘッド３に圧接する状態をとる。
Ｃモードでは、ヒートローラ１４が押圧ローラ１５に圧接する一方、プラテンローラ４がサーマルヘッド３から離間する状態をとる。
【００２９】
本発明は、上述した構成において、転写動作と再転写動作とを行った後に重畳転写動作を行うものであり、各動作について以下に詳述する。
【００３０】
＜転写動作について＞
転写は上述のＢモードにおいて行われる。具体的には、インクリボン１から中間転写フィルム７へインク層の転写と、転写されたインク層の、非転写領域に対応する領域からの剥離とが行われる。
インクリボン１のＹ，Ｍ，Ｃ，Ｋそれぞれの色パネルにおいて、印刷パターン生成部２００Ｂで生成された制御パターンがサーマルヘッド３に送出され、中間転写フィルム７にそれぞれの色の画像が順次熱転写される。
【００３１】
＜再転写動作について＞
再転写は、上述のＣモードにおいてカード８に対して行われる。
格納部１００から搬出されたカード８は、搬送機構１０１を経由して第２の加熱部３００に搬送される（図６参照）。
第２の加熱部３００に搬送されたカード８は、中間転写フィルム７の転写層７ｃｄ側と対向するようにヒートローラ１４と押圧ローラ１５との間に挿入され、そこで熱及び圧力が与えられて中間転写フィルム７に形成された転写層７ｃｄが転写（再転写）される。
【００３２】
＜重畳転写動作について＞
次に、上述した再転写動作後に行う重畳転写動作の第１〜第３実施例を以下に説明する。
【００３３】
（第１実施例）（図１参照）
インクリボン１を搬送するＤＣモータ２２と中間転写フィルム７を搬送するパルスモータ３１とを駆動させ、インクリボン１において最後に転写されたフレームのブラックのパネル１Ｋａと、中間転写フィルム７において最後に再転写された画面範囲７Ｋａとを重ねるように位置決めし、サーマルヘッド３により所定の重畳パターン１５２を転写させる。
この送りと位置決めは、ピッチ制御部２００Ｃにより制御される。
【００３４】
重畳パターン１５２は、パネル１Ｋａに残存した転写パターン１５１のネガパターン１５１ｎに上書きした場合にこれを判読不能にするパターンであり、ライン状，メッシュ状，ランダム状あるいはこれらを組み合わせたパターン等から設定することができる。
このパターンは重畳パターン生成部４００により転写パターン１５１に応じて生成される。
この重畳転写について転写動作及び再転写動作を併せて図１を用いて説明する。
【００３５】
図１（Ａ）は、上述した転写動作により、〔月曜日〕という文字の転写パターン１５１がインクリボン１から中間転写フィルム７の画面範囲７Ｋａに転写された状態を示している。インクリボン１のブラックパネル１Ｋａには、白抜きのネガパターン１５１ｎが残存している。
【００３６】
図１（Ｂ）は、上述した再転写動作実施後の状態、即ち、中間転写フィルム７の画面範囲７Ｋａには、転写パターン１５１がカード８（図示せず）に再転写された後、像が残存していない状態を示している。
【００３７】
図１（Ｃ）は、上述した重畳転写動作後の状態を示している。
インクリボン１のブラックパネル１Ｋａには、重畳パターン生成部２００Ｄにより生成された３本のライン状重畳パターン１５２がネガパターン１５１ｎに上書きされて残存し、このネガパターン１５１ｎは判読不能となっている。
中間転写フィルム７の画面範囲７Ｋａ上には、重畳パターン１５２から転写パターン１５１を除いたパターンが転写された転写重畳像１５４が形成され、転写パターン１５１のネガパターン１５１ｎは判読不能となっている。
従って、カード８を新たに使用することなく、中間転写フィルム７の未使用の範囲を使用することなく、インクリボン１と中間転写フィルム７上に残存したネガパターン１５１ｎを判読不能にすることができ、無駄にカード８や中間転写フィルム７を消費することはない。
【００３８】
（第２実施例）（図２参照）
インクリボン１を搬送するＤＣモータ２２と中間転写フィルムを搬送するパルスモータ３１とを駆動させ、インクリボン１の上述した転写動作によって最後に転写されたフレームのブラックのパネル１Ｋａと、中間転写フィルム７の上述した再転写動作によって最後に再転写された画面範囲７Ｋａとを重ねるように位置決めし、サーマルヘッド３により、まずインクリボン１の所定領域の全面を転写する。
この送りと位置決めは、ピッチ制御部２００Ｃにより制御される。
【００３９】
まず全面転写する所定領域は、インクリボン１の搬送方向に区分（分割）された互いに等しい矩形の第１領域１５３Ａと第２領域１５３Ｂの内の、図２（Ａ）における左側の第１領域１５３Ａである。この領域の分割は、ネガパターン１５１ｎを分割するように領域分割部２００Ｅで設定される。
【００４０】
次に、インクリボン１は停止したまま、第１領域１５３Ａの幅Ｗだけ中間転写フィルム７を巻き戻し、インクリボン１の第２領域１５３Ｂを中間転写フィルム７に転写した第１領域１５３Ａの転写像に重ねて転写し、転写重畳像１５４を形成する。
この転写後の状態を図２（Ｃ）に示す。
【００４１】
この第２実施例によれば、インクリボン１の所定の領域である第１及び第２領域１５３Ａ，１５３Ｂは完全な白抜きとなりパターンの残存はない。
また、第１及び第２領域１５３Ａ，１５３Ｂの白で抜けた画像パターンの内、それぞれが重なった範囲についてのみ、中間転写フィルム７上に白抜きの像として転写形成されるので、この白抜きの像は判読不能であり、特別な印刷パターンで重畳転写する必要はない。
もちろん、この第２実施例においても、使用する中間転写フィルム７の画面範囲は、既に再転写に使用された画面範囲を用いることができるので、無駄に中間転写フィルム７を消費することはない。
【００４２】
所定の領域１５３Ａ，１５３Ｂの区分（分割）数や形状は、それぞれを重畳した時にネガパターンが判読不能となるように自由に設定することができる。領域分割部２００Ｅには、あらかじめ予想される残存ネガパターンに対応した分割形態を記憶させておいてもよく、また、操作者が分割形態を領域分割部２００Ｅに指示して分割領域を設定させてもよい。
この設定の例としては、特定の文字が存在する領域のみに限定することもできる。また、この領域の形状は矩形に限らず自由に設定することができる。また、区分する領域の数を増やして重畳転写回数を増やすこともできる。この場合、重畳転写されて形成された白抜け像が偶発的に判読可能となることを防止することができる。
【００４３】
（第３実施例）
この第３実施例は、第１実施例と第２実施例とを組み合わせた重畳転写を行う例である。
予め転写動作及び再転写動作により、第１の画像〔特許公報〕をカード８に印刷後〔図３（Ａ）参照〕、次の重畳転写を行う。
【００４４】
インクリボン１を搬送するＤＣモータ２２と中間転写フィルムを搬送するパルスモータ３１とを駆動させ、インクリボン１の上述した転写動作によって最後に転写されたブラックの第１のパネル１Ｋａと、中間転写フィルム７の上述した再転写動作によって最後に再転写された第１の画面範囲７Ｋａとを重ねるように位置決めし、サーマルヘッド３により所定の第１の重畳パターン１５２ａを第１のネガパターン１５１ａと重ね合わせて転写させ、第１の転写重畳像１５４ａを形成する（第１重畳転写）。
【００４５】
この状態を図３（Ｂ）に示す。当図では、第１の重畳パターン１５２ａは３本のラインである。
第１の重畳パターン１５２ａは、第１のパネル１Ｋａに残存した第１の転写パターン１５１ａのネガパターン１５１ａｎに上書きした場合にこれを判読不能にするパターンであり、ライン状，メッシュ状，ランダム状あるいはこれらを組み合わせたパターン等から設定することができる。
この第１の重畳パターン１５２ａは重畳パターン生成部４００により第１の転写パターン１５１ａに応じて生成される。ここまでは、第１実施例と同様である。
【００４６】
次に、再転写動作で再転写されたカード８を反転して装填する。
【００４７】
インクリボン１の新しいパネル１Ｋｂと中間転写フィルム７の新しい画面領域７Ｋｂを用いて第２の画像〔国内優先〕をインクリボン１から中間転写フィルム７に転写する。
この第２の画像を、反転したカード８に再転写した後（この状態を図３（Ｃ）に示す）、インクリボン１の第２の画像を転写したパネル１Ｋｂと、第１の転写重畳像を形成した中間転写フィルム７の第１の画面領域７Ｋａとをサーマルヘッド３に向き合わせるように位置決めし、所定の第２の重畳パターン１５２ｂを第２のネガパターン１５１ｂに重ね合わせて重畳転写させ、第２の転写重畳像１５４ｂを形成する（第２重畳転写）。
【００４８】
この転写後の状態を図３（Ｄ）に示す。
当図において、第２の重畳パターン１５２ｂは第１の重畳パターン１５２ｂと直交する９本のラインであるが、もちろん、第１の重畳パターン１５２ａと同様のパターンにすることができる。
即ち、パネル１Ｋｂに残存した第２の画像からなる第２の転写パターン１５１ｂのネガパターン１５１ｂｎに上書きした場合にこれを判読不能にするパターンであればよく、ライン状，メッシュ状，ランダム状あるいはこれらを組み合わせたパターン等から設定することができる。
【００４９】
この第２の重畳パターン１５２ｂは重畳パターン生成部４００により第２の転写パターン１５１ｂに応じて生成される。
これにより、インクリボン１に残存した第１及び第２の画像の第１及び第２の転写パターン１５１ａ，１５１ｂは重畳転写により判読不能になると共に、中間転写フィルム７に残存した像は、第１及び第２重畳転写が重ねて実行された重畳転写画像１５４ｂであり、より確実に判読不能とされたものとなる。
上述したインクリボン１と中間転写フィルム７の送りと位置決めは、ピッチ制御部２００Ｃにより制御される。
この第１重畳転写及び第２重畳転写動作におけるインクリボン１と中間転写フィルム７との関係を図５に示す。
当図において、インクリボン１のｎ番目のＢＫパネルが第１のパネル１Ｋａであり、ｎ＋１番目のＢＫパネルが第２のパネル１Ｋｂであり、ｎ番目のＢＫパネルとｎ＋１番目のＢＫパネルとに残存した像を中間転写フィルム７の７Ｋａに重畳転写することを示している。
【００５０】
この第３実施例においても、使用する中間転写フィルム７の画面領域は、既に再転写に使用された領域を用いることができるので、中間転写フィルム７を無駄に消費することはない。
【００５１】
上述した第１〜第３実施例のいずれにおいても、重畳動作後、未使用部分のインクリボン１及び中間転写フィルム７の先頭位置をサーマルヘッド３と向き合うようにそれぞれを搬送して位置決めし、次画面の転写動作に備えるように構成されている。
【００５２】
さて、本発明の実施例は、上述した構成に限定されるものではなく、本発明の要旨を逸脱しない範囲において例えば下記のような変形例としてもよいものである。
【００５３】
第３実施例においては、第１重畳転写と第２重畳転写とにおけるパネルと画像範囲との位置を搬送方向にわずかにずらすと、より判読が困難になり好ましい。
また、第３実施例において、インクリボン１及び中間転写フィルム７を１パネル及び１画面領域おきに使用する方法を示したが、第２実施例のように、インクリボン１のブラックのパネル１Ｋの画像領域を分割し、その分割した領域を中間転写フィルム７に重畳転写するようにしてもよい。
【００５４】
上述した実施例によれば、インクリボンも中間転写フィルムも使用済みのパネル領域を使用するだけなので、新たに記録紙が消費されるということがない。
また、重畳転写においては、サーマルヘッドが十分にインクリボンに圧着するのでインクへの加熱が十分であり、確実に重畳転写を行うことができる。
また、サーマルヘッドへの印可エネルギを重畳転写時に高くする等の特別な配慮が不要であり、サーマルヘッドの寿命に影響を及ぼすものではない。
【００５５】
【発明の効果】
以上詳述したように、本願発明によれば、記録紙を消費することなく、サーマルヘッドに高エネルギを印可することなくインクリボンまたは中間転写フィルムに残存した像を判読不能とにできるという効果を得る。
【図面の簡単な説明】
【図１】本発明の再転写方式の印刷装置における第１実施例を説明するための図である。
【図２】本発明の再転写方式の印刷装置における第２実施例を説明するための図である。
【図３】本発明の再転写方式の印刷装置における第３実施例を説明するための図である。
【図４】本発明の再転写方式の印刷装置の実施例におけるインクリボンと中間転写フィルムを説明する図である。
【図５】本発明の再転写方式の印刷装置における第３実施例を説明する別の図である。
【図６】本発明の再転写方式の印刷装置における実施例を示す正面図である。
【図７】本発明の再転写方式の印刷装置の実施例における第１及び第２の加熱部のモード切り替えを説明するための図である。
【符号の説明】
１  インクリボン
１ａ  ベースフィルム
１Ｃ  シアン（パネル）
１Ｋ  ブラック（パネル）
１Ｋａ  （第１の）パネル
１Ｋｂ  （第２の）パネル
１Ｍ  マゼンタ（パネル）
１Ｙ  イエロー（パネル）
３  サーマルヘッド
４  プラテンローラ
５，９Ａ  供給リール
６，９Ｂ  巻き取りリール
７  中間転写フィルム
７ａ  基材シート
７ｂ  剥離層
７ｃ  保護層
７ｃｄ  転写層
７ｄ  受容層
７Ｋａ  第１の画面範囲（第１の転写領域）
７Ｋｂ  第２の画像範囲（第２の転写領域）
８  カード（被印刷物）
１４  ヒートローラ
１５  押圧ローラ
２１，２２，３２  ＤＣモータ
２５，３３  センサ
２６ａ〜２６ｃ  ガイド部
３０ａ〜３０ｃ  ガイド部材
３１，３１Ａ  パルスモータ（ステップモータ）
６６  カム
７０  回動軸
７１  第１のアーム
７４  第２のアーム
７５  リンク
１００  格納部
１０１  搬送機構
１５１  転写パターン（印刷画像）
１５１ａ  第１の転写パターン
１５１ｂ  第２の転写パターン
１５１ｎ，１５１ａｎ，１５１ｂｎ（転写パターンの）ネガパターン
１５２  重畳パターン
１５２ａ  第１の重畳パターン
１５２ｂ  第２の重畳パターン
１５３Ａ  第１の領域
１５３Ｂ  第２の領域
１５４  転写重畳像
２００  制御部
２００Ａ  制御パターン生成部
２００Ｂ  印刷パターン生成部
２００Ｃ  ピッチ制御部
２００Ｄ  重畳パターン生成部
２００Ｅ  領域分割部
２０１  筐体
３００  第２の加熱部
５００  第１の加熱部
【図１】
2005014398.tif 000003
【図２】
2005014398.tif 000004
【図３】
2005014398.tif 000005
【図４】
2005014398.tif 000006
【図５】
2005014398.tif 000007
【図６】
2005014398.tif 000008
【図７】
2005014398.tif 000009